(57)【特許請求の範囲】
【請求項１】
後端部が壁面に固定され、該壁面から前方へ突設されるブラケット本体と、該ブラケット本体の前部の側面に設けられたタオルリング又はタオルバーの係止部とを有した壁用ブラケットにおいて、
該係止部は、該ブラケット本体の側面から突設された円柱状部と、該円柱状部の外周面に設けられた周回溝と、該周回溝と円柱状部の突出方向の先端縁とをつないでいる縦方向溝とを備えてなることを特徴とする壁用ブラケット。
【請求項２】
請求項１において、前記係止部は、前記ブラケット本体と一体のベース部と、該ベース部の先端面に取り付けられたブロックとからなり、
前記周回溝は該ベース部の先端に設けられており、前記縦方向溝は該ブロックに設けられていることを特徴とする壁用ブラケット。
【請求項３】
請求項１又は２において、前記係止部の周回溝よりも基端側の外周に合成樹脂製のリングが嵌合しており、該リングの外周に複数のリブが設けられていることを特徴とする壁用ブラケット。
【発明の詳細な説明】
【０００１】
【発明の属する技術分野】
本発明は、タオルバー及びタオルリングのいずれをも壁に取り付けることができる壁用ブラケットに関する。
【０００２】
【従来の技術】
タオルバーやタオルリングを壁面に取り付けるための壁用ブラケットとして現在広く用いられているものは、タオルバー取付専用あるいはタオルリング取付専用のものであり、タオルバー及びタオルリングのいずれをも壁に取り付けることができるという訳ではない。
【０００３】
このため、家族構成が変化し、タオルリングでは不足しタオルバーに替えたいという希望が出てきたときや、その逆にタオルバーをタオルリングに替えたいというときには新しく専用のブラケットを購入しなければならないという不便があった。
【０００４】
実開平２−１４９５９５号公報には、タオルリング及びタオルバーのいずれをも壁に取り付けることができる壁用ブラケットが記載されているが、構造がかなり複雑であり、素人にはタオルバーとタオルリングの付け替えが難しい。
【０００５】
【発明が解決しようとする課題】
本発明は上記の問題点を解決し、タオルリング及びタオルバーのいずれをも壁に取り付けることができ、しかも構造が簡易な壁用ブラケットを提供することを目的とする。
【０００６】
【課題を解決するための手段】
本発明の壁用ブラケットは、後端部が壁面に固定され、該壁面から前方へ突設されるブラケット本体と、該ブラケット本体の前部の側面に設けられたタオルリング又はタオルバーの係止部とを有した壁用ブラケットにおいて、該係止部は、該ブラケット本体の側面から突設された円柱状部と、該円柱状部の外周面に設けられた周回溝と、該周回溝と円柱状部の突出方向の先端縁とをつないでいる縦方向溝とを備えてなることを特徴とするものである。
【０００７】
かかる壁用ブラケットを用いることにより、タオルリング又はタオルバーの端部の穴部を壁用ブラケットの係止部に外嵌させることにより、該タオルリング及びタオルバーのいずれをも壁に取り付けることができる。タオルリングの場合にあっては、該穴部の内周面の突起を周回溝に係合させることにより壁用ブラケットに対し回動自在に且つ抜け出し不能に取り付けることができる。
【０００８】
タオルバーの場合であれば、該穴部内周面の突起を縦溝に係合させることにより、該壁用ブラケットに対しバー軸心回りに回動することなく固定される。
【０００９】
【発明の実施の形態】
以下図面を参照して本発明の実施の形態について説明する。第１図は本発明の実施の形態に用いられるブラケット本体の構成図、第２図はこのブラケット本体を用いたタオルバーの取付状態を示す断面図、第３図はブラケットとタオルバーとの係合関係を説明する分解斜視図である。
【００１０】
第１図に示す通り、このブラケット本体１０は略円筒状であり、壁Ｗに当接する後端面がエンドプレート部１２によって封じられている。このエンドプレート部１２には中央部と周辺近傍の２箇所にビス孔１４，１６が設けられている。なお、このブラケット本体１０をタオルバーの取り付けに使用するときには、中央のビス孔１４にのみビスを通して該ブラケット本体１０を壁Ｗに固定する。また、このブラケット本体１０によってタオルリングを壁Ｗに取り付けるときには、ブラケット本体１０のビス孔１４周りの回転を阻止するために、ビス孔１４，１６の双方にビスを通してブラケット本体１０を壁Ｗに固定する。
【００１１】
このブラケット本体１０の先端側の側面からベース部２０が突設されている。このベース部２０は、短い円柱形状のものであり、先端側の外周面に周回溝２２が設けられている。また、この周回溝２２の溝底面部分には、それぞれ平行な弦方向面２４が２個設けられている。この弦方向面２４は、後述するブロック３０の非円形の凹部３４と係合し、該ブロック３０の回転を阻止するためのものである。
【００１２】
第３図に明瞭に示される通り、このベース部２０の先端面に円柱状のブロック３０が当接され、螺子３２によって該ブロック３０がベース部２０に固定される。このベース部２０にブロック３０を固定することにより円柱状部が形成される。この円柱状部と、周回溝２２及び後述の縦溝３８とによって係止部が構成される。
【００１３】
このブロック３０の該ベース部２０との当接面には、前記の通り非円形の凹部３４（第２図）が設けられている。該非円形凹部３４とベース部２０の先端等を係合させ、該ブロック３０の中央孔３６を通して螺子３２をベース部２０の雌螺子孔２８に螺じ込むことにより、ブロック３０がベース部２０に対し螺子３２周りに回転不能に固定される。
【００１４】
このブロック３０の外周面には、該ブロック３０の軸心線方向と平行方向に延在する縦溝３８が設けられている。
【００１５】
このブロック３０は、この実施の形態にあっては合成樹脂にて構成されており、外周面には、タオルバー５０が外嵌されたときに該タオルバー５０の内周面に密着するリブ４０が設けられている。
【００１６】
前記ベース部２０の付根側には、合成樹脂製のリング４２が外嵌される。このリング４２の外周面にもリブ４４が設けられており、このリブ４４がタオルバー５０の内周面に密着する。このリング４２はフランジ４６を有している。このフランジ４６は、前記ベース部２０とブラケット本体１０との間の段差面４８に重ね合わされ、該段差面４８とタオルバー５０の先端面との間に介在される。このフランジ４６は、段差面４８近傍のブラケット本体１０の外面の塗装やメッキ等を保護するためのものである。
【００１７】
タオルバー５０には、前記縦溝３８内に入り込みうる大きさの突起５２がその内周面に突設されている。
【００１８】
このタオルバー５０を壁Ｗに取り付ける手順の一例について次に説明する。
【００１９】
先ず、２個のブラケット本体１０のベース部２０にそれぞれリング４２を外嵌させると共に、螺子３２によってブロック３０を各ベース部２０の先端に固定しておく。そして、タオルバー５０の両端に各ブラケット本体１０の係止部を差し込む。この際、突起５２は縦溝３８に係合するので、タオルバー５０は回転しないようになる。次に、各ブラケット本体１０をビスによって壁Ｗに固定する。これにより、タオルバー５０が壁Ｗに取り付けられる。
【００２０】
タオルバー５０の別の取付手順例について次に説明する。
【００２１】
上記と同様にそれぞれブロック３０を取り付けたブラケット本体１０を２個用意する。そして、まず一方のブラケット本体１０をビス孔１４に通したビスにより、該壁Ｗに固定しておく。
【００２２】
次に、タオルバー５０の一端に他方のブラケット本体の係止部を嵌合させ、この際、突起５２は縦溝３８に係合する。次いで、該タオルバー５０の他端を前記一方のブラケット本体１０の係止部に嵌合させる。この際にも、突起５２はブロック３０の縦溝３８に係合するので、タオルバー５０は回転しない。
【００２３】
しかる後、該他方のブラケット本体１０をビスによって壁Ｗに固定する。これにより、タオルバー５０が２個のブラケット本体１０，１０によって壁Ｗに固定される。
【００２４】
次に、第４図及び第５図を参照して、このブラケット本体１０及びブロック３０を用いてタオルリング６０を壁Ｗに固定する手順について説明する。
【００２５】
このタオルリング６０の基端部の内周面には、前記タオルバー５０と同様の突起６２が突設されている。
【００２６】
ブラケット本体１０に対し予めブロック３０を螺子３２によって固定しておくと共に、ベース部２０の外周にリング４２を外嵌させておく。タオルリング６０の突起６２を、ブロック３０の縦溝３８を通して周回溝２２に入り込ませる。そして、このブラケット本体１０をビス孔１４，１６にビスを通して壁Ｗに螺じ込むことにより、タオルリング６０が壁Ｗに取り付けられる。
【００２７】
この場合、タオルリング６０は、第４図に示すようにブロック３０の周囲に上下１８０度回転しうる。ブロック３０は、タオルリング６０がこのように上下に１８０度回転しても突起６２と縦溝３８とが合致しない位置関係にて取り付けられている。このため、タオルリング６０をどのような角度に回しても、該タオルリング６０がブロック３０から抜け出すことが無い。
【００２８】
このように、この実施の形態に係るブラケット本体１０によると、タオルバー５０及びタオルリング６０のいずれをも壁Ｗに取り付けることができる。このブラケット本体１０及びブロック３０よりなるブラケットは、構成がきわめてシンプルであり、素人であってもタオルバー及びタオルリングの取付施工を容易に行うことができる。また、構成が簡易であるため、その値段も安価である。
【００２９】
なお、前記ブラケット本体１０の先端面には、合成樹脂等よりなるキャップを着脱可能に装着しておく。
【００３０】
【発明の効果】
以上の通り、本発明の壁用ブラケットによると、タオルバー及びタオルリングのいずれをも壁に対し取り付けることができる。このブラケットは構成が簡易であり、タオルバー及びタオルリングの取り付けが容易に行えると共に、値段も安価なものとなる。
【図面の簡単な説明】
【図１】実施の形態に係るブラケット本体の構成図であり、（ａ）図は正面図、（ｂ）図は平面図、（ｃ）図は背面図、（ｄ）図は（ａ）図のＤ−Ｄ線に沿う矢視図、（ｅ）図は（ｂ）図のＥ−Ｅ線に沿う断面図である。
【図２】実施の形態に係るブラケットを用いたタオルバーの取付構造を示す縦断面図である。
【図３】図２の構造を示す分解斜視図である。
【図４】実施の形態に係るブラケットを用いたタオルリングの取付構造を示す斜視図である。
【図５】図４の構造を示すものであり、（ａ）図はタオルリングとブラケット本体との接続部分の水平断面図、（ｂ）図は（ａ）図のＢ−Ｂ線に沿うタオルリングの断面図である。
【符号の説明】
１０  ブラケット本体
１４，１６  ビス孔
２０  ベース部
２２  周回溝
３０  ブロック
３８  縦溝
４２  リング
４６  フランジ
４８  段差面
５０  タオルバー
５２  突起
６０  タオルリング
６２  突起
【図１】
0003552511.tif 000002
【図２】
0003552511.tif 000003
【図３】
0003552511.tif 000004
【図４】
0003552511.tif 000005
【図５】
0003552511.tif 000006